(57)【特許請求の範囲】
【請求項１】
給紙装置からのカットシートを紙送りローラを経て記録部に供給する一方、上記給紙装置の略真下に配置された連続シート搬送装置を用いて上記カットシートの搬送方向と同一方向へ搬送して連続シートを記録部に供給する機能を有した記録装置において、
上記紙送りローラ近傍に上記カットシートが供給されるときには突出し上記連続シートが供給されるときには後退するフラップを設け、このフラップの形状は、突出時において上記カットシートを上記紙送りローラのニップ部における接線に沿って略直線的に上記紙送りローラに導くように形成されていることを特徴とする記録装置。
【請求項２】
上記フラップが、その突出時において、上記紙送りローラのニップ部における接線に沿って略水平に延びる水平案内面を有したことを特徴とする請求項１記載の記録装置。
【請求項３】
上記カットシートが複写シートであり、上記水平案内面が複写シートの層間ずれを防止可能な長さに設定されていることを特徴とする請求項２記載の記録装置。
【発明の詳細な説明】
【０００１】
【発明の属する技術分野】
本発明は、例えばドットインパクトプリンタ等の記録装置に係り、特に紙送りローラ近傍にフラップを有した記録装置に関する。
【０００２】
【従来の技術】
一般に、斜め上方に配置された給紙装置からのカットシートを紙送りローラを経て記録部に供給する一方、上記給紙装置の略真下に配置されたトラクタを用いて連続シートを記録部に供給する機能を有し、カットシートまたは連続シートのいずれにも印刷できる機能を備えた記録装置が知られている。
【０００３】
この種のものでは、図９に示すように、紙送りローラ７１近傍にフラップ７４を備えている。このフラップ７４は、給紙装置ＣＳＦを用いてカットシートＫが供給されるときには、シート案内７６よりも上方へ突出して当該カットシートＫを印字ヘッド７５を含む記録部７２に案内し、上記トラクタ７３を用いて連続シート（不図示）が供給されるときには、シート案内７６よりも下方へ後退して、当該シート搬送経路から外れる。
【０００４】
【発明が解決しようとする課題】
ところが、上述した従来の記録装置では、給紙装置ＣＳＦを用いてカットシートＫが搬送される場合、下記の不都合が発生する。
【０００５】
すなわち、フラップ７４の上面７４Ａが直線的に傾斜しているため、例えば、図１０に示すように、シート搬送時にカットシートＫが紙送りローラ７１に接触して、そこに図示のように巻き込まれ、紙送りローラ７１にカットシートＫが接触する接触角度θが大きくなるという問題がある。
【０００６】
この接触角度θが大きくなると、例えばカットシートＫが複写シートである場合、内側のシートＫ１と外側のシートＫ２間に層間ずれが発生するという問題がある。すなわち、紙送りローラ７１の半径ｒ、紙送りローラ７１とシートＫとの接触角度θ、シートの厚さｔとした場合、内側のシートＫ１と外側のシートＫ２間の経路差ΔＬは式（１）のようになる。
【０００７】
ΔＬ＝（ｒ＋ｔ）θ−ｒθ＝ｔθ…（１）
複写シートの枚数が多くなればなるほどｔが大きくなるため、経路差ΔＬが累積して大きな層間ずれとなり、外側のシートが早く進む。外側のシートが早く進むと、記録部においてシートに記録される文字等に位置ずれが発生し、正確な位置への印字ができなくなるという問題がある。
【０００８】
そこで、本発明の目的は、給紙装置からのカットシートを紙送りローラを経て記録部に供給する場合、紙送りローラにカットシートが接触する接触角度θを抑制した記録装置を提供することにある。
【０００９】
【課題を解決するための手段】
請求項１に記載の発明は、給紙装置からのカットシートを紙送りローラを経て記録部に供給する一方、上記給紙装置の略真下に配置された連続シート搬送装置を用いて上記カットシートの搬送方向と同一方向へ搬送して連続シートを記録部に供給する機能を有した記録装置において、上記紙送りローラ近傍に上記カットシートが供給されるときには突出し上記連続シートが供給されるときには後退するフラップを設け、このフラップの形状は、突出時において上記カットシートを上記紙送りローラのニップ部における接線に沿って略直線的に上記紙送りローラに導くように形成されていることを特徴とする。
【００１１】
本発明では、フラップの形状が、上記カットシートを上記紙送りローラのニップ部における接線に沿って略直線的に上記紙送りローラに導くように形成されているため、シートに層間ずれが発生することがない。従って、記録部においてシートに記録される文字等に位置ずれが発生することがなく、正確な位置への印字が可能になる。
【００１２】
請求項２に記載の発明は、請求項１記載のものにおいて、フラップが、その突出時において、上記紙送りローラのニップ部における接線に沿って略水平に延びる水平案内面を有したことを特徴とする。
【００１３】
請求項３に記載の発明は、請求項２記載のものにおいて、カットシートが複写シートであり、上記水平案内面が複写シートの層間ずれを防止可能な長さに設定されていることを特徴とする。
【００１４】
本発明では、上記フラップに水平案内面を有しているため、給紙装置からのカットシートを紙送りローラのニップ部における接線に沿って紙送りローラに導くことができ、当該複写シートに層間ずれが発生することがない。
【００１５】
従って、記録部において、複写シートに記録される文字等に位置ずれが発生することがなく、正確な位置への印字が可能になる。
【００１６】
【発明の実施の形態】
以下、本発明の一実施形態を図面に基づき説明する。
【００１７】
図１は、本発明に係る記録装置の一実施形態が適用されたドットインパクトプリンタを示す斜視図である。このプリンタ１０は、多数の記録ワイヤをインクリボン（共に図示せず）を介してシートに打ち付けてドットを記録することにより、文字を含む画像を印刷する形式のプリンタである。
【００１８】
このプリンタ１０は、記録装置本体としてのプリンタ本体１１と、このプリンタ本体１１の前方側に設置されてカットシートＫを手差し可能に構成されたシート供給ガイド４３と、上記プリンタ本体１１の後方側に設置されてカットシートＫを記録部に自動供給する給紙装置ＣＳＦとを有する。
【００１９】
図２は、この給紙装置ＣＳＦを取り外したプリンタ本体１１を示す。給紙装置ＣＳＦの略真下には連続シートを記録部に供給するプッシュトラクタユニット（連続シート搬送装置）１２が配置されている。
【００２０】
上記シートには、所定長さに切断された上記カットシートＫと、複数枚が連接された連続シートとがある。カットシートＫとしては、例えば単票紙、複写紙又はＯＨＰ（オーバヘッドプロジェクタ）シート等のカットフィルムがあり、連続シートとしては連続紙がある。
【００２１】
上記プリンタ本体１１は、記録機構部としての記録ヘッド及びキャリッジを備えるが、ここでは図示を省略する。
【００２２】
図３は、プリンタ本体１１のシート搬送機構部を示す。このシート搬送機構部３０は、上記したプッシュトラクタユニット１２に連なる紙送りローラ１３と、プラテン２０と、搬送ローラユニット２１とを有して構成される。なお、記録機構部としての記録ヘッド及びキャリッジは、プラテン２０の上方を当該プラテン２０の軸方向に走査して移動される。
【００２３】
図４は、プッシュトラクタユニット１２を含むシート搬送機構部３０の断面図である。上記したプッシュトラクタユニット１２は、連続シート（例えば連続紙）を、プラテン２０を備えた上記シート搬送機構部へ供給するものであり、左右一対のトラクタ２８（図３）を有する。
【００２４】
これらのトラクタ２８は、トラクタ駆動軸２９に回転一体且つ軸方向摺動自在に軸支されたトラクタ駆動プーリ（不図示）と、トラクタガイド軸３０に回転自在且つ軸方向に摺動自在に軸支されたトラクタ従動プーリ（不図示）とにトラクタベルト３１が巻き掛けられ、シート押え蓋３２を備えて構成される。
【００２５】
一対のトラクタ２８間の距離は、搬送すべき連続シート（連続紙）の幅寸法に応じて調整可能とされる。また、トラクタベルト３１の全外周に突設された複数本のピン（不図示）が、連続シートの幅方向両側に穿設されたピン孔（不図示）に係合可能とされる。
【００２６】
上記シート搬送機構部３０は、上述したように、搬送ローラユニット２１と、プラテン２０と、紙送りローラ１３とで構成される。この紙送りローラ１３は、図５に示すように、駆動ローラ軸４０に固定された駆動ローラ４１と、従動ローラ軸４２にフリー回転自在に取り付けられた従動ローラ４３とからなり、各ローラ４１，４３が対をなしてシートを搬送するよう構成される。
【００２７】
搬送ローラユニット２１とプラテン２０と紙送りローラ１３とは、図４に示すように、駆動輪列部３４により時計方向または反時計方向に回転駆動される。また、プッシュトラクタユニット１２のトラクタベルト３１は、同様に駆動輪列部３４により反時計方向に駆動される。
【００２８】
上記従動ローラ軸４２は、図６に示すように、従動ローラホルダ４４の上部溝４４Ａに嵌合し、この従動ローラホルダ４４によって支持されている。この従動ローラホルダ４４は、圧縮ばね４５のばね力によって、常に上方へ付勢されている。この状態では、圧縮ばね４５のばね力によって上記従動ローラ４３が上記駆動ローラ４１に圧接している。
【００２９】
この従動ローラホルダ４４の上部溝４４Ａの近傍にはピン５０が固定され、このピン５０にはフラップ５１の長孔５１Ａが係合している。このフラップ５１の一端には、上記従動ローラ軸４２が嵌合する上方を開口したＵ字状溝５１Ｂが形成され、このフラップ５１の他端は、図６に示す状態において、シート案内５３よりも上方に突出している。
【００３０】
このフラップ５１の下面５１Ｃと従動ローラホルダ４４の下部片４４Ｂ間には引っ張りばね５２が張設され、この引っ張りばね５２のばね力によって、フラップ５１はピン５０を支点に時計方向へ付勢されている。
【００３１】
上記従動ローラホルダ４４には下方を開口したＵ字状溝４４Ｃが形成され、この溝４４Ｃにはレリース軸４６が嵌合している。
【００３２】
このレリース軸４６は、図５に示すように、その軸端４６Ａが図中右方へ延出し、この図中右方へ延出した軸端４６Ａには、図４に示すように、ピニオン４７が連結されている。このピニオン４７はラック４８に噛み合い、このラック４８の基体４８Ａは図中左方へ延出して、レリースレバー４９に連結されている。このレリースレバー４９が、矢印Ａ，Ｂの方向へ移動した場合、ラック４８が同一方向へ移動し、ピニオン４７を介してレリース軸４６が回動する。
【００３３】
このレリース軸４６の軸部にはカム（不図示）が形成され、このレリース軸４６が連続シート位置に回動した場合、図７に示すように、上記カムの作用によって、従動ローラホルダ４４が、ばね４５のばね力に抗して下方へ押し下げられる。これが押し下げられた場合、従動ローラホルダ４４の下部片４４Ｂの位置が下がるため、引っ張りばね５２に引っ張られて、フラップ５１が時計方向へ回動し、このフラップ５１はシート案内５３よりも下方に後退する。
【００３４】
この状態では、引っ張りばね５２のばね力によって、上記従動ローラ４３が上記駆動ローラ４１に圧接するものの、引っ張りばね５２のばね力は弱く設定されるため、上記従動ローラ４３による圧接力は弱い。
【００３５】
上記レリース軸４６の軸部には、図６または図７に示すように、断面形状が略Ｙ字状となる部分４６Ｂが設けられる。この部分４６Ｂには窪み部４６Ｃが形成され、上記したようにレリース軸４６が回動すると、窪み部４６Ｃの位置が、図６または図７に示すように変位する。
【００３６】
他方、上記フラップ５１の下面５１Ｃには、下方に一体的に延びる垂下部５１Ｄが形成され、このフラップ５１の垂下部５１Ｄの下端には、図６に示す状態において、レリース軸４６の部分４６Ｂの規制部４６Ｄに当接可能なストッパ５１Ｅが一体形成されている。
【００３７】
これによれば、図６に示す状態において、フラップ５１を時計方向へ回動させる力が作用した場合、ストッパ５１Ｅが規制部４６Ｄに当接し、それ以上のフラップ５１の回動が阻止される。
【００３８】
単票紙又は複写紙等のカットシートＫが供給される場合、レリースレバー４９がカットシート位置に移動され、上記のように、従動ローラホルダ４４が、圧縮ばね４５のばね力によって付勢され、従動ローラ４３が駆動ローラ４１に圧接し、フラップ５１がシート案内５３より上方へ突出する。
【００３９】
この状態で、いわゆる手差し供給の場合、カットシートＫは、プリンタ本体１１の前方側から手動供給された後、搬送ローラユニット２１とプラテン２０と紙送りローラ１３の時計方向の回転（シート供給モータは逆転）により、プリンタ本体１１の前方から後方へ向かって、図４の矢印Ｂで示す方向に搬送され、また、搬送ローラユニット２１とプラテン２０と紙送りローラ１３の反時計方向の回転（シート供給モータは正転）により、プリンタ本体１１の後方から前方へ向かって矢印Ａ方向に搬送されて、プラテン２０に対向した印字ヘッド６９を含む記録部に供給される。
【００４０】
カットシートＫが、図４の矢印Ｂで示す方向に搬送される場合、搬送方向前方に、プッシュトラクタユニット１２が位置する。しかし、この場合、図６に示すように、フラップ５１がシート案内５３よりも上方へ突出しているため、このフラップ５１に案内されて、カットシートＫが、プッシュトラクタユニット１２に衝突せず、その上に乗り上げるように搬送される。
【００４１】
また、カットシートＫが厚紙等の場合、このカットシートＫの剛性によって、フラップ５１を時計方向に回動させる力が発生する。この場合、上記のように、ストッパ５１Ｅが規制部４６Ｄに当接し、それ以上のフラップ５１の回動が阻止されるため、フラップ５１の突出位置が保持される。
【００４２】
給紙装置ＣＳＦを用いた自動供給の場合、図８に示すように、給紙装置ＣＳＦの補助ローラ６５を経て矢印Ｃ方向へカットシートＫが供給され、このカットシートＫが、搬送ローラユニット２１とプラテン２０と紙送りローラ１３の反時計方向の回転（シート供給モータは正転）により、プリンタ本体１１の後方から前方へ向かって図４の矢印Ａ方向に搬送されて、プラテン２０に対向した印字ヘッド６９を含む記録部に供給される。
【００４３】
他方、連続紙等の連続シートが供給される場合、レリースレバー４９が連続シート位置に移動され、図７に示すように、従動ローラホルダ４４が下方へ押し下げられ、フラップ５１がシート案内５３よりも下方へ後退する。
【００４４】
連続紙等の連続シートＲは、プッシュトラクタ１２によってプリンタ本体１１の後方側から矢印Ｄ方向（図４の矢印Ａ方向）に供給された後、紙送りローラ１３と搬送ローラユニット２１とにより同方向（図４の矢印Ａ方向）に搬送されて、プラテン２０に対向した印字ヘッド６９を含む記録部に供給される。
【００４５】
本実施形態では、図８に示すように、上記給紙装置ＣＳＦを用いたカットシートＫの自動供給の場合、紙送りローラ１３に対してカットシートＫが略直線的に導かれるように、フラップ５１の形状が規定される。
【００４６】
すなわち、上記フラップ５１の上面が、カットシートＫを紙送りローラ１３に対して略直線的に導くための略水平に延びる水平案内面５１Ｆを有し、この水平案内面５１Ｆに連続して突出面５１Ｇを有して構成されている。
【００４７】
なお、この突出面５１Ｇは、上述したように、カットシートＫが、図４の矢印Ｂで示す方向に搬送される場合、当該カットシートＫを、図６に示すように、上方へ跳ね上げて、プッシュトラクタユニット１２に衝突させずに、その上を乗り上げるように搬送するために機能する。
【００４８】
例えば、上記カットシートＫが複写シートである場合、図１０に示すように、カットシートＫが紙送りローラ１３の駆動ローラ４１に巻き付くように供給されると、当該複写シートに層間ずれが発生し、内側のシートに比べて、外側のシートが早く進み、プリンタ本体１１の記録部において、各複写シートに記録される文字等に位置ずれが発生する。
【００４９】
本実施形態では、上記フラップ５１の上面に水平案内面５１Ｆを有しているため、給紙装置ＣＳＦからのカットシートＫを紙送りローラ１３に対して略直線的に導くことができ、当該複写シートに層間ずれが発生することがない。
【００５０】
従って、複写シートからなるカットシートＫを供給した場合、内側のシートに比べて、外側のシートが早く進むようなことがなく、プリンタ本体１１の記録部において、各複写シートに記録される文字等に位置ずれが発生することがなく、正確な位置への印字が可能になる。
【００５１】
このことから見ると、水平案内面５１Ｆの長さは、紙送りローラ１３を経て複写シートを搬送するときに、当該複写シートに発生が予測される層間ずれを防止可能な長さに設定することが望ましい。
【００５２】
以上、本発明を上記実施の形態に基づいて説明したが、本発明はこれに限定されるものではない。
【００５３】
【発明の効果】
本発明では、フラップの形状が、突出時において上記カットシートを上記紙送りローラのニップ部における接線に沿って略直線的に上記紙送りローラに導くように形成されているため、当該シートに層間ずれが発生することがない。従って、記録部においてシートに記録される文字等に位置ずれが発生することがなく、正確な位置への印字が可能になる。
【００５４】
また、本発明では、フラップに水平案内面を有しているため、給紙装置からのカットシートを紙送りローラのニップ部における接線に沿って紙送りローラに導くことができ、当該複写シートに層間ずれが発生することがない。
【００５５】
従って、記録部において、複写シートに記録される文字等に位置ずれが発生することがなく、正確な位置への印字が可能になる。
【図面の簡単な説明】
【図１】本発明に係る記録装置の一実施の形態が適用されたドットインパクトプリンタのプリンタ本体を示す斜視図である。
【図２】給紙装置ＣＳＦを取り外したプリンタ本体を示す斜視図である。
【図３】プリンタ本体のシート搬送機構部を示す斜視図である。
【図４】図３の断面図である。
【図５】紙送りローラを示す斜視図である。
【図６】シート搬送機構部を示す拡大断面図である。
【図７】シート搬送機構部を示す拡大断面図である。
【図８】シート搬送機構部を示す拡大断面図である。
【図９】従来のシート搬送機構部を示す拡大断面図である。
【図１０】複写シートの層間ずれを説明する図である。
【符号の説明】
１０  プリンタ（記録装置）
１１  プリンタ本体
１３  紙送りローラ
２０  プラテン
２１  搬送ローラユニット
５１  フラップ
５３  シート案内
５１Ｆ  水平案内面
５１Ｇ  突出面
ＣＳＦ  給紙装置
Ｋ  カットシート
【図１】
0003758459.tif 000002
【図２】
0003758459.tif 000003
【図３】
0003758459.tif 000004
【図４】
0003758459.tif 000005
【図５】
0003758459.tif 000006
【図６】
0003758459.tif 000007
【図７】
0003758459.tif 000008
【図８】
0003758459.tif 000009
【図９】
0003758459.tif 000010
【図１０】
0003758459.tif 000011